(57)【要約】  息苦しさを解消しつつ喉の乾燥を防ぐことができるマスクを提供する。マスク１は、装着者の口を覆う本体部１０、及び本体部１０を装着者の顔に固定するための固定部４０を備えている。本体部１０には、本体部１０の一部を切断するための切取線２２，２４が形成されている。切取線２２，２４に沿って切断することにより、本体部１０に開口部１２，１４が形成される。
2015125202.tif 000002
【特許請求の範囲】
【請求項１】
装着者の口を覆う本体部と、
前記本体部を前記装着者の顔に固定するための固定部と、を備え、
前記本体部には、当該本体部の一部を切断するための切取線が形成されており、
前記切取線に沿って前記本体部の一部を切断することにより、当該本体部に開口部が形成されることを特徴とするマスク。
【請求項２】
請求項１に記載のマスクにおいて、
前記切取線は、閉じた形状をしているマスク。
【請求項３】
請求項１に記載のマスクにおいて、
前記切取線は、一直線状をしているマスク。
【請求項４】
請求項３に記載のマスクにおいて、
前記切取線は、前記本体部の左右方向に延在するマスク。
【請求項５】
請求項４に記載のマスクにおいて、
前記切取線の長さは、前記本体部の左右方向の長さの２分の１以上であるマスク。
【請求項６】
請求項１乃至５の何れかに記載のマスクにおいて、
前記切取線は、ミシン目であるマスク。
【請求項７】
請求項１乃至６の何れかに記載のマスクにおいて、
前記本体部には、複数の前記切取線が形成されており、
前記複数の切取線に沿って前記本体部の一部を切断することにより、当該本体部に複数の前記開口部が形成されるマスク。
【請求項８】
請求項７に記載のマスクにおいて、
前記複数の開口部は、第１の開口部と、前記第１の開口部よりも小さい第２の開口部とを含むマスク。
【請求項９】
請求項１乃至８の何れかに記載のマスクにおいて、
前記本体部における前記開口部が形成される部分以外の部分は、前記装着者の口の少なくとも一部を覆うマスク。
【請求項１０】
請求項１乃至９の何れかに記載のマスクにおいて、
前記本体部に固定され、前記装着者の顔から前記本体部を離間させた状態で当該本体部の形状を維持するための可塑性の線状部材を備えるマスク。
【請求項１１】
請求項１０に記載のマスクにおいて、
前記線状部材は、前記本体部の上端に沿って設けられた第１の線状部材と、前記本体部の下端に沿って設けられた第２の線状部材とを含むマスク。
【請求項１２】
請求項１０又は１１に記載のマスクにおいて、
前記線状部材は、前記本体部の左端に沿って設けられた第３の線状部材と、前記本体部の右端に沿って設けられた第４の線状部材とを含むマスク。
【請求項１３】
請求項１乃至１２の何れかに記載のマスクにおいて、
前記本体部に着脱可能に設けられた保湿材を備えるマスク。
【請求項１４】
請求項１３に記載のマスクにおいて、
前記保湿材は、前記本体部に貼付可能であるマスク。
【請求項１５】
請求項１３又は１４に記載のマスクにおいて、
前記本体部は、前記保湿材を収納するポケットを有するマスク。
【請求項１６】
請求項１５に記載のマスクにおいて、
前記本体部は、複数の前記ポケットを有するマスク。
【請求項１７】
請求項１３乃至１６の何れかに記載のマスクにおいて、
前記保湿材は、芳香成分を含有するマスク。
【請求項１８】
請求項１７に記載のマスクにおいて、
前記芳香成分は、ハーブの香りを発するものであるマスク。
【請求項１９】
請求項１３乃至１８の何れかに記載のマスクにおいて、
前記保湿材は、抗菌成分を含有するマスク。
【請求項２０】
請求項１９に記載のマスクにおいて、
前記抗菌成分は、タンニンであるマスク。
【発明の詳細な説明】
【技術分野】
【０００１】
本発明は、人の鼻や口を覆うマスクに関する。
【背景技術】
【０００２】
従来のマスクとしては、例えば特許文献１に記載されたものがある。同文献に記載されたマスクは、鼻及び口を含む顔面の対象部を覆う本体部と、本体部の左右両側に設けられ、耳に係止するための係止部とを備えている。本体部は、顔面と対面するインナー部と、インナー部を被覆する外装部とを有している。インナー部は、顔面の起伏に対応するように、カップ状の立体形状をしている。
【先行技術文献】
【特許文献】
【０００３】
【特許文献１】特開２００７−２１０３２号公報
【発明の概要】
【発明が解決しようとする課題】
【０００４】
特許文献１に記載されたマスクによれば、本体部によって鼻及び口が覆われるため、喉が乾燥するのを防ぐことができる。しかしながら、その一方で、かかるマスクを装着した状態では、呼吸が妨げられるため、息苦しくなるという問題がある。【０００５】
本発明は、上記課題に鑑みてなされたものであり、息苦しさを解消しつつ喉の乾燥を防ぐことができるマスクを提供することを目的とする。
【課題を解決するための手段】
【０００６】
本発明によるマスクは、装着者の口を覆う本体部と、上記本体部を上記装着者の顔に固定するための固定部と、を備え、上記本体部には、当該本体部の一部を切断するための切取線が形成されており、上記切取線に沿って上記本体部の一部を切断することにより、当該本体部に開口部が形成されることを特徴とする。【０００７】
このマスクにおいては、本体部によって装着者の口が覆われるため、喉が乾燥するのを防ぐことができる。また、本体部には切取線が形成されており、この切取線に沿って本体部の一部を切断することにより、当該本体部に開口部が形成される。このため、装着者は、切取線に沿って本体部を切断することにより、本体部に開口部を形成することができる。開口部は、呼気及び吸気の経路となる。これにより、装着者は、呼吸をし易くなるため、息苦しさから免れることができる。
【発明の効果】
【０００８】
本発明によれば、息苦しさを解消しつつ喉の乾燥を防ぐことができるマスクが実現される。
【図面の簡単な説明】
【０００９】
【図１】本発明によるマスクの第１実施形態を示す正面図である。
【図２】図１のマスクにおいて開口部が形成された状態を示す正面図である。
【図３】本発明によるマスクの第２実施形態を示す正面図である。
【図４】図３のマスクにおいて開口部が形成された状態を示す正面図である。
【図５】本発明によるマスクの第３実施形態を示す背面図である。
【図６】本発明によるマスクの第４実施形態を示す背面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明によるマスクの第１実施形態を示す正面図である。マスク１は、本体部１０、及び固定部４０を備えている。本体部１０は、シート状をしており、装着者の目、鼻及び口のうち、鼻及び口のみ、あるいは口のみを覆う。図１においては、本体部１０の外側の面、すなわち装着者の顔に対向する面（内側の面）とは反対側の面が示されている。本体部１０は、通気性を有する材料からなる。かかる材料としては、例えば、不織布又は紙を用いることができる。
【００１２】
本体部１０には、複数の切取線２２，２４が形成されている。具体的には、２本の切取線２２と、１本の切取線２４とが形成されている。これらの切取線２２，２４は、本体部１０の一部を切断するためのものである。各切取線２２，２４は、装着者が当該切取線２２，２４に沿って本体部１０を容易に切断することができるように形成されている。切取線２２，２４は、例えばミシン目である。各切取線２２，２４は、閉じた形状（本実施形態においては矩形）をしている。閉じた形状としては、矩形の他にも、例えば、円形、星形又はハート形が挙げられる。
【００１３】
図２に示すように、切取線２２，２４に沿って本体部１０を切断することにより、本体部１０に複数の開口部１２，１４が形成される。具体的には、２本の切取線２２に対応する２つの開口部１２（第１の開口部）と、１本の切取線２４に対応する１つの開口部１４（第２の開口部）とが形成される。このとき、装着者の口の少なくとも一部は、本体部１０における開口部１２，１４以外の部分によって覆われる。図２において、一点鎖線Ｌ１で囲まれた部分が、概ね、装着者の口に重なる部分である。このように、開口部１２，１４が形成された状態においても、装着者の口全体が露出することのない構造となっている。
【００１４】
開口部１２は、概ね、装着者の口の左右の領域に重なる部分に位置している。開口部１４は、概ね、装着者の鼻と口の間の領域に重なる部分に位置している。本実施形態においては、切取線２２，２４の形状が矩形であることに伴い、開口部１２，１４の形状も矩形である。ただし、開口部１４は、開口部１２よりも小さい。
【００１５】
図１に戻って、本体部１０には、線状部材３２，３４，３６，３８が固定されている。これらの線状部材３２，３４，３６，３８は、可塑性を有し、装着者の顔から本体部１０を離間させた状態で本体部１０の形状を維持するためのものである。線状部材３２，３４，３６，３８の材料としては、例えば、金属又は樹脂を用いることができる。
【００１６】
線状部材３２（第１の線状部材）は、本体部１０の上端に沿って延在している。線状部材３４（第２の線状部材）は、本体部１０の下端に沿って延在している。線状部材３６（第３の線状部材）は、本体部１０の左端に沿って延在している。また、線状部材３８（第４の線状部材）は、本体部１０の右端に沿って延在している。線状部材３２は、例えば、本体部１０の上端付近を袋状に形成し、その中に収容すればよい。線状部材３４，３６，３８についても同様である。
【００１７】
さらに、本体部１０には、当該本体部１０を装着者の顔に固定するための固定部４０が取り付けられている。本実施形態において固定部４０は、装着者の耳に掛けられる紐状部材である。かかる固定部４０としては、例えば、ゴム紐を用いることができる。
【００１８】
マスク１の効果を説明する。マスク１においては、本体部１０によって装着者の口が覆われるため、喉が乾燥するのを防ぐことができる。また、本体部１０には切取線２２，２４が形成されており、切取線２２，２４に沿って本体部１０の一部を切断することにより、本体部１０に開口部１２，１４が形成される。このため、装着者は、切取線２２，２４に沿って本体部１０を切断することにより、本体部１０に開口部１２，１４を形成することができる。開口部１２，１４は、呼気及び吸気の経路となる。これにより、装着者は、呼吸をし易くなるため、息苦しさから免れることができる。したがって、息苦しさを解消しつつ喉の乾燥を防ぐことができるマスク１が実現されている。
【００１９】
かかる構成により、マスク１は、切取線２２，２４に沿った切断が行われる前の状態（開口部１２，１４が形成されていない状態）と、切取線２２，２４に沿った切断が行われた後の状態（開口部１２，１４が形成されている状態）とで２通りの使い方が可能である。これにより、装着者にとっての利便性が飛躍的に高まる。
【００２０】
例えば、装着者は、起きている間は開口部１２，１４が形成されていない状態でマスク１を使用し、寝ている間は開口部１２，１４が形成されている状態でマスク１を使用することができる。すなわち、起きている間は息苦しくなっても適宜マスクを着脱することができるのに対し、寝ている間はそうすることができない。それゆえ、起きている間は、喉の乾燥防止を優先して開口部１２，１４が形成されていない状態でマスク１を使用する一方で、寝ている間は、呼吸の容易性を優先して開口部１２，１４が形成されている状態でマスク１を使用することができる。
【００２１】
また、装着者は、空気の乾燥の程度が比較的大きい室外では、喉の乾燥防止を優先して開口部１２，１４が形成されていない状態でマスク１を使用する一方で、空気の乾燥の程度が比較的小さい室内では、呼吸の容易性を優先して開口部１２，１４が形成されている状態でマスク１を使用するということもできる。
【００２２】
このように２通りの使い方が可能であるため、マスク１は、長時間にわたって使用するのに適しており、経済的である。
【００２３】
切取線２２，２４は、閉じた形状をしている。このため、切取線２２，２４に沿って本体部１０を切断することにより、切取線２２，２４で囲まれていた部分を本体部１０から切除することができる。これにより、当該部分に、切取線２２，２４と同様の形状の開口部１２，１４を確実に形成することができる。
【００２４】
切取線２２，２４がミシン目である場合、装着者が本体部１０の一部を切断するための切取線２２，２４を簡易な構成で実現することができる。
【００２５】
本体部１０には複数の切取線２２，２４が形成されており、これらの切取線２２，２４に沿って本体部１０を切断することにより、複数の開口部１２，１４が形成される。このため、装着者は、形成される開口部１２，１４の個数を変えることにより、喉の乾燥防止と呼吸の容易性とのバランスを調整することができる。ただし、本体部１０には、閉じた形状の切取線が１本だけ形成されていてもよい。
【００２６】
本体部１０に形成される開口部には、大きさが相異なる開口部１２と開口部１４とが混在する。このため、装着者は、開口部１２又は開口部１４の何れを形成するか（切取線２２又は切取線２４の何れに沿った切断を行うか）によっても、喉の乾燥防止と呼吸の容易性とのバランスを調整することができる。
【００２７】
本体部１０は、開口部１２，１４以外の部分が装着者の口の少なくとも一部を覆うように構成されている。このため、開口部１２，１４が形成された状態においても、装着者の口全体が露出することがなく、喉の乾燥防止効果が保たれる。
【００２８】
また、本体部１０には、線状部材３２，３４，３６，３８が設けられている。このため、装着者の顔から本体部１０を離間させた状態で本体部１０の形状を維持することができる。それにより、装着者の顔と本体部１０との間に適度な空間を形成し、吸気及び呼気の経路を確保することができる。特に本実施形態においては、本体部１０の上下左右に線状部材３２，３４，３６，３８が設けられているため、本体部１０の形状設定の自由度が高く、吸気及び呼気の経路を確保し易い。
（第２実施形態）
【００２９】
図３は、本発明によるマスクの第２実施形態を示す正面図である。マスク２は、本体部１０及び固定部４０を備えている。本体部１０には、切取線２８が形成されている。この切取線２８は、本体部１０の一部を切断するためのものである。切取線２８は、装着者が当該切取線２８に沿って本体部１０を容易に切断することができるように形成されている。切取線２８は、例えばミシン目である。切取線２８は、一直線状をしており、本体部１０の左右方向に延在している。切取線２８の長さは、本体部１０の左右方向の長さの２分の１以上である。なお、本実施形態においては１本の切取線２８が形成されているが、複数の切取線２８が形成されてもよい。
【００３０】
図４に示すように、切取線２８に沿って本体部１０を切断することにより、本体部１０に開口部１８が形成される。このとき、切取線２８に垂直な方向（本実施形態では上下方向）に本体部１０を引っ張ることにより、より確実に開口部１８を形成することができる。開口部１８が形成された状態であっても、装着者の口の少なくとも一部は、本体部１０における開口部１８以外の部分によって覆われる。図４において、一点鎖線Ｌ１で囲まれた部分が、概ね、装着者の口に重なる部分である。このように、マスク２は、切取線の形状がマスク１と相違する。マスク２のその他の構成は、マスク１と同様である。
【００３１】
マスク２の効果を説明する。マスク２においては、本体部１０によって装着者の口が覆われるため、喉が乾燥するのを防ぐことができる。また、本体部１０には切取線２８が形成されており、切取線２８に沿って本体部１０の一部を切断することにより、本体部１０に開口部１８が形成される。このため、装着者は、切取線２８に沿って本体部１０を切断することにより、本体部１０に開口部１８を形成することができる。開口部１８は、呼気及び吸気の経路となる。これにより、装着者は、呼吸をし易くなるため、息苦しさから免れることができる。したがって、息苦しさを解消しつつ喉の乾燥を防ぐことができるマスク２が実現されている。
【００３２】
切取線２８は、一直線状をしている。このように切取線２８の形状が単純であるため、装着者は、切取線の形状が複雑な場合に比べて、容易に開口部１８を形成することができる。
【００３３】
切取線２８は、本体部１０の左右方向に延在している。本体部１０は横長の形状をしているため、上下方向よりも左右方向に切取線２８を延在させた方が、スペースを確保し易く、設計上の自由度が高まる。ただし、切取線２８の延在方向は、任意であり、上下方向や斜め方向であってもよい。
【００３４】
切取線２８の長さは、本体部１０の左右方向の長さの２分の１以上である。このように長い切取線２８が設けられているため、装着者は、比較的大きな開口部１８を形成することができ、それにより呼吸の容易性を高めることができる。また、切取線２８の一部分のみを切り離すことにより、開口部１８の大きさを適宜設定し、喉の乾燥防止と呼吸の容易性とのバランスを調整することもできる。ただし、切取線２８の長さは、本体部１０の左右方向の長さの２分の１未満であってもよい。マスク２のその他の効果は、マスク１について説明したとおりである。
（第３実施形態）
【００３５】
図５は、本発明によるマスクの第３実施形態を示す背面図である。マスク３は、本体部１０及び固定部４０に加えて、保湿機能を有する保湿材５２を備えている。本実施形態においては、２つの保湿材５２が設けられている。保湿材５２は、本体部１０に着脱可能に設けられている。保湿材５２は、本体部１０よりも小さいシート状をしており、本体部１０に貼付可能である。具体的には、保湿材５２は、その片面に粘着剤が塗布されており、本体部１０に貼付することも、本体部１０から剥離することも可能である。
【００３６】
この保湿材５２は、本体部１０の任意の位置に貼付することができる。保湿材５２は、本体部１０の外側の面に貼付してもよいし、内側の面に貼付してもよい。図５は、本体部１０の左右を分断する中心線Ｌ２上に２つの保湿材５２が貼付された例を示している。同図においては、本体部１０の内側の面が示されており、当該面に保湿材５２が貼付されている。図中の上側の保湿材５２は、概ね、装着者の口に重なる部分に位置している。また、下側の保湿材５２は、概ね、装着者の口の下の領域に重なる部分に位置している。
【００３７】
保湿材５２としては、例えば、保湿成分を含有する液体を含浸させた不織布を用いることができる。保湿成分としては、例えば、コラーゲン、ヒアルロン酸、グリセリン類が挙げられる。
【００３８】
保湿材５２には、保湿成分と共に、芳香成分及び／又は抗菌成分が含有されていてもよい。芳香成分としては、例えば、ユーカリ、ローズマリーその他のハーブの香りを発するものが挙げられる。また、抗菌成分としては、例えば、カテキンその他のタンニンが挙げられる。タンニンとしては、お茶やコーヒーに含有されているものを用いることができる。マスク３のその他の構成は、マスク１と同様である。
【００３９】
マスク３の効果を説明する。マスク３においては、保湿材５２が設けられている。このため、喉の乾燥をより効果的に防ぐことができる。しかも、この保湿材５２は、着脱可能に設けられている。これにより、マスク３は、保湿材５２が取り付けられた状態でも、取り外された状態でも使用することができるため、装着者にとっての利便性が高まる。例えば、装着者は、切取線２２，２４に沿った切断が行われる前は保湿材５２を取り外してマスク３を使用する一方で、切取線２２，２４に沿った切断が行われた後は保湿材５２を取り付けてマスク３を使用することができる。
【００４０】
さらに、保湿材５２は、本体部１０に貼付可能であるため、本体部１０への着脱が容易である。また、保湿材５２を本体部１０の任意の位置に貼付することができるため、装着者は、本体部１０に取り付けられた保湿材５２の位置を変えることにより、保湿の程度を調整することができる。
【００４１】
保湿材５２は、複数設けられている。このため、装着者は、本体部１０に取り付けられた保湿材５２の個数を変えることにより、保湿の程度を調整することができる。ただし、保湿材５２は、１つだけ設けられてもよい。
【００４２】
保湿材５２が芳香成分を含有する場合、当該成分が呼吸時に鼻孔に吸い込まれることにより、装着者は、より快適にマスク３を使用することができる。保湿材５２が抗菌成分を含有する場合、吸気中や呼気中の雑菌が繁殖するのを抑制することができるため、装着者は、より衛生的にマスク３を使用することができる。マスク３のその他の効果は、マスク１について説明したとおりである。
【００４３】
なお、本実施形態においては、図１及び図２に示したマスク１に保湿材５２が設けられた例を示したが、図３及び図４に示したマスク２に保湿材５２を設けてもよいことは、言うまでもない。
（第４実施形態）
【００４４】
図６は、本発明によるマスクの第４実施形態を示す背面図である。マスク４は、本体部１０及び固定部４０に加えて、保湿機能を有する保湿材５４を備えている。本実施形態においては、２つの保湿材５４が設けられている。保湿材５４は、本体部１０に着脱可能に設けられている。具体的には、本実施形態の本体部１０はポケット１６を有しており、このポケット１６内に保湿材５４が出入自由に収納されている。保湿材５４は、本体部１０よりも小さいシート状をしている。保湿材５４としては、保湿材５２と同様、保湿成分を含有する液体を含浸させた不織布を用いることができる。保湿材５４に芳香成分及び／又は抗菌成分が含有されていてもよいことは、保湿材５２と同様である。
【００４５】
ポケット１６は、本体部１０の任意の位置に設けることができる。ポケット１６は、本体部１０の外側の面に設けてもよいし、内側の面に設けてもよい。図６は、本体部１０の左右を分断する中心線Ｌ２上に２つのポケット１６が設けられた例を示している。同図においては、本体部１０の内側の面が示されており、当該面にポケット１６が設けられている。図中の上側のポケット１６は、概ね、装着者の口に重なる部分に位置している。また、下側のポケット１６は、概ね、装着者の口の下の領域に重なる部分に位置している。
【００４６】
ポケット１６の材料としては、例えば不織布を用いることができる。ポケット１６は、左右両端及び下端が本体部１０に接着される一方で、上端は本体部１０に接着されていない。したがって、ポケット１６は、その上端から保湿材５４を出し入れすることが可能な構造をしている。マスク４のその他の構成は、マスク１と同様である。
【００４７】
マスク４の効果を説明する。マスク４においては、保湿材５４が設けられている。このため、喉の乾燥をより効果的に防ぐことができる。しかも、この保湿材５４は、着脱可能に設けられている。これにより、マスク４は、保湿材５４が取り付けられた状態でも、取り外された状態でも使用することができるため、装着者にとっての利便性が高まる。例えば、装着者は、切取線２２，２４に沿った切断が行われる前は保湿材５４を取り外してマスク４を使用する一方で、切取線２２，２４に沿った切断が行われた後は保湿材５４を取り付けてマスク４を使用することができる。
【００４８】
本体部１０は、保湿材５４を収納するポケット１６を有している。このため、保湿材５４の着脱を容易に行うことができる。さらに、本実施形態においては、複数のポケット１６が設けられている。このため、装着者は、本体部１０に取り付けられた保湿材５４の個数や位置を変えることにより、保湿の程度を調整することができる。ただし、ポケット１６は、１つだけ設けられてもよい。マスク４のその他の効果は、マスク１及びマスク３について説明したとおりである。
【００４９】
なお、本実施形態においては、図１及び図２に示したマスク１にポケット１６及び保湿材５４が設けられた例を示したが、図３及び図４に示したマスク２にポケット１６及び保湿材５４を設けてもよいことは、言うまでもない。
【００５０】
本発明によるマスクは、上記実施形態に限定されるものではなく、様々な変形が可能である。例えば、上記実施形態においては、本体部１０にプリーツを設けてもよい。その場合、切取線は、プリーツの外側に設けてもよいし、内側に設けてもよい。ここで、プリーツの外側及び内側とは、それぞれ、プリーツを拡げない状態において、正面から見える部分及び見えない部分をいう。
【００５１】
上記実施形態においては、４つの線状部材３２，３４，３６，３８が設けられた例を示した。しかし、これらの線状部材の一部のみが設けられた構成としてもよい。例えば線状部材３２，３４のみが設けられた構成、あるいは線状部材３６，３８のみが設けられた構成等が考えられる。また、線状部材３２，３４，３６，３８の何れも設けない構成としてもよい。
【符号の説明】
【００５２】
１  マスク
２  マスク
３  マスク
４  マスク
１０  本体部
１２  開口部（第１の開口部）
１４  開口部（第２の開口部）
１６  ポケット
１８  開口部
２２  切取線
２４  切取線
２８  切取線
３２  線状部材（第１の線状部材）
３４  線状部材（第２の線状部材）
３６  線状部材（第３の線状部材）
３８  線状部材（第４の線状部材）
４０  固定部
５２  保湿材
５４  保湿材
【図１】
2015125202.tif 000003
【図２】
2015125202.tif 000004
【図３】
2015125202.tif 000005
【図４】
2015125202.tif 000006
【図５】
2015125202.tif 000007
【図６】
2015125202.tif 000008
【国際調査報告】
2015125202.tif 000009
2015125202.tif 000010
2015125202.tif 000011
2015125202.tif 000012